(57)【要約】【課題】ガラス又はアクリル等の透明状の面材が装着された扉，引戸，窓において、簡易且つ効率的に組立作業を行うことができ、その仕上がりが極めて綺麗で良好であり、且つ強度的にも極めて優れた枠装置を提供すること。【解決手段】外側面１ａ，内側面１ｂ及び両主側面１ｃ，１ｃからなり、その内部を中空とした縦枠本体部１と，前記内側面１ｂに形成され面板材８の縦方向端辺が挿入される縦支持溝２とからなる縦枠部材Ａと，外側面５ａ，内側面５ｂ及び両主側面５ｃ，５ｃからなり、その内部を中空とした横枠本体部５と，前記内側面５ｂに形成され前記面板材８の横方向端辺が挿入される横支持溝６とからなる横枠部材Ｂとからなること。前記縦枠部材Ａにのみ固着具７のねじ込みが可能で且つ前記縦枠部材Ａの長手方向に沿って形成された螺子受条３，３，…が一体形成されてなること。【選択図】　　　図１
2004143863.tif 000002
【特許請求の範囲】
【請求項１】
外側面，内側面及び両主側面からなり、その内部を中空とした縦枠本体部と，前記内側面に形成され面板材の縦方向端辺が挿入される縦支持溝とからなる縦枠部材と，外側面，内側面及び両主側面からなり、その内部を中空とした横枠本体部と，前記内側面に形成され前記面板材の横方向端辺が挿入される横支持溝とからなる横枠部材とからなり、前記縦枠部材にのみ固着具のねじ込みが可能で且つ前記縦枠部材の長手方向に沿って形成された螺子受条が一体形成されてなることを特徴とする枠装置。
【請求項２】
請求項１において、前記横枠部材の長手方向端部には、外側面のみを残して切除され，該外側面と主側面の端縁とのなす隅角を直角としてなることを特徴とする枠装置。
【請求項３】
請求項１又は２において、前記横枠部材の外側面の裏面には偏平状の補強条が長手方向に沿って形成されてなることを特徴とする枠装置。
【請求項４】
請求項１，２又は３において、前記縦枠部材と横枠部材との接合箇所における前記縦枠部材の長手方向端部の露出箇所を被覆するキャップ材が具備されてなることを特徴とする枠装置。
【発明の詳細な説明】
【０００１】
【発明の属する技術分野】
本発明は、ガラス又はアクリル等の透明状の面材が装着された扉，窓等の枠において、簡易且つ効率的に組立作業を行うことができ、その仕上がりが極めて綺麗で良好であり、且つ強度的にも極めて優れたものにできる枠装置に関する。
【０００２】
【従来の技術】
従来より、食器棚，本棚，陳列棚等の種々の収納家具には、ガラス窓を備えた扉，窓が装着されている。この扉，窓は、金属型鋼が使用されることが多く、特にアルミ型鋼が多く使用される。ところでこの種の型鋼は、中空状でその内部には、リブ状部ｋが形成されている。該リブ状部ｋは、型鋼の長手方向に沿って形成されたもので、枠部材同士を連結する役目をなしている。そして、型鋼を何れの箇所で切断しても、そのリブ状部ｋの断面形状は同一である。具体的には、断面Ｃ形状のものが多く、ビス等の螺子部を容易にねじ込むことができ、且つビスのねじ込みとともにそのリブ状部ｋには内螺子が形成され、通常の螺子締め状態にすることができるようになっている。
【０００３】
【発明が解決しようとする課題】
上述したように、枠部材に形成されたリブ状部ｋは、縦枠部材と横枠部材との接合に必要な部位である。すなわち、そのリブ状部ｋはビス等の固着具をねじ込むことにより、そのリブ状部ｋに内螺子を形成しつつ、締めつけることができる。これによって横枠部材と縦枠部材とをビス等の固着具によって接合固着することができるものである。
【０００４】
ところが、このリブ状部ｋは、図８（Ａ）に示すように、枠部材である型鋼を所望の長さに切断するときや、或いは部分的に切除加工する場合には、その作業に対して極めて大きな抵抗となるおそれがある。特に部分的に切除する作業を行う場合で、リブ状部ｋのみを切除する作業は最も面倒な作業であり、且つ仕上がりも綺麗にすることは困難であり、たいていは、図８（Ｂ）に示すように、切除されたリブ状部ｋの跡は非常に粗いものとなる。
【０００５】
このように、部分的に切除する場合としては、横枠部材と縦枠部材との連結箇所において、いずれかの枠部材の長手方向端部にほぼ直角な隅角とした連結部を加工形成する場合がある。すなわち、枠部材の外側面を残して両側面及内側面を切除する場合に、前記外側面に残されているリブ状部ｋも完全に切除しなければならない。この処理を行わないと、縦枠部材と横枠部材との接合部分は、隙間の生じない整然とした精度の高い接合状態にすることはできない。
【０００６】
そのために、枠部材の外側面に残されたリブ状部ｋを切除するために、面倒な作業を行い且つ綺麗に仕上がるようにしているが、これによって、当然のことながら作業時間が多くなり、且つコストにも影響を及ぼすものであった。ましてや、そのリブ状部ｋの切除作業を工場ではなく、新築工事や据付け等の現場にて行うことは、極めて困難であり、さらに良好なる仕上げにすることは不可能に近いことである。そこで、本発明の目的は、このような枠装置の組立において、簡易且つ効率的に組立作業を行うことができ、その仕上がりが極めて綺麗で良好であり、且つ強度的にも極めて優れたものとすることにある。
【０００７】
【課題を解決するための手段】
そこで、発明者は、上記課題を解決すべく、鋭意，研究を重ねた結果、本発明を、外側面，内側面及び両主側面からなり、その内部を中空とした縦枠本体部と，前記内側面に形成され面板材の縦方向端辺が挿入される縦支持溝とからなる縦枠部材と，外側面，内側面及び両主側面からなり、その内部を中空とした横枠本体部と，前記内側面に形成され前記面板材の横方向端辺が挿入される横支持溝とからなる横枠部材とからなり、前記縦枠部材にのみ固着具のねじ込みが可能で且つ前記縦枠部材の長手方向に沿って形成された螺子受条が一体形成されてなる枠装置としたことにより、組立作業における加工が容易であり仕上がりが良好で、且つ強度にも優れたものとし上記課題を解決したものである。
【０００８】
【作用】
縦枠部材Ａと横枠部材Ｂと面板材８にて枠装置を構成するには、その横枠部材Ｂの長手方向端部に、図５（Ｂ）に示すように、横枠部材Ｂの長手方向の端部箇所における主側面５ｃ，５ｃ及び内側面５ｂからなる切除部位Ｓが設定され、切除される。上記切除部位は縦枠部材Ａの幅方向寸法に応じたものである。これによって外側面５ａのみが残された状態となり、図５（Ａ）に示すように、この長手方向端部より突出した外側面５ａ部分は接合用外側面５ａ１　となる。
【０００９】
そして、その横枠部材Ｂの長手方向の端部にて切除された箇所に縦枠部材Ａの長手方向端部が配置され、その端部に図４（Ｂ）に示すように、キャップ材１０が装着され、縦枠部材Ａの長手方向端部と前記接合用外側面５ａ１　とが当接される。次いで接合用外側面５ａ１　に形成された接合用貫通孔５ｄにビス等の固着具７を貫通させ、螺子受条３に固着具７の螺子部７ａをねじ込み、螺合固着するものである。
【００１０】
この枠装置において、縦枠部材Ａには、長手方向に沿って螺子受条３，３が形成されているが、この螺子受条３，３が横枠部材Ｂを介して縦枠部材Ａにかかる荷重Ｗに対して補強の役目をなすことができる。図７（Ａ）は、枠装置の横枠部材Ｂに外力等の荷重Ｗがかかり、その荷重Ｗが縦枠部材Ａに鉛直方向にかかるが、その荷重Ｗに対して螺子受条３，３に反力Ｒが生じている様子を示すものである。前記荷重Ｗは、横枠部材Ｂの長手方向に沿ってかかる分布荷重を、その横枠部材Ｂの幅方向両端において集中荷重として置き換えたものである。図７（Ｂ）は、図７（Ａ）の荷重Ｗの作用する部位の拡大断面図である。
【００１１】
【発明の実施の形態】
以下、本発明を図面に基づいて説明する。本発明の主なる構成は、図１，図２等に示すように、主に縦枠部材Ａ，横枠部材Ｂ，固着具７及び面板材８等からなる。横枠部材Ｂ及び縦枠部材Ａは、型鋼として形成されたものが好適である。具体的にはアルミ型鋼等のように軽量で且つ加工を行いやすいものがよい。縦枠部材Ａは、枠装置の垂直方向の支持部材として使用される。また横枠部材Ｂは、枠装置の水平方向の支持部材として使用されるものである。
【００１２】
その縦枠部材Ａは、図１（Ｂ），図２に示すように、中空状として縦枠本体部１であり、具体的には断面形状として長方形としたものであるが、正方形であってもかまわない。また、必要に応じて取手として使用可能な突起状が長手方向に沿って形成されるものでもよい。その縦枠本体部１は、枠体を構成したときに枠体の外周面を構成する部位を外側面１ａと称する。また面板材８を装着する側を内側面１ｂと称する。
【００１３】
さらに、その枠体の表面側及び裏面側を構成する部分を主側面１ｃと称する。該主側面１ｃは、枠体の表裏を構成する面であるが、一方を表面とすれば、他方は裏面となる。またいずれが表面であるかは、特に限定されるものではない。その縦枠本体部１の角部箇所には、面板材８の端辺を挿入するため縦支持溝２が形成されている。該縦支持溝２は、方形状としたもので長方形或いは正方形状に形成された凹み部位である。この縦支持溝２には、図１（Ｂ）に示すように、面板材８がガスケット，シール材等の介在物９とともに挿入される。
【００１４】
縦枠本体部１の中空内部には、螺子受条３，３が形成されている。該螺子受条３は、図１，図２に示すように、縦枠本体部１の長手方向に沿って中空内にリブ形状に形成されたものであって、その長手方向に直交する断面形状は、ほぼＣ字形の円形状とした円筒状の螺子受孔部３ａが形成されている。そして、その一部に離間した部位が存在している。その螺子受条３は、縦枠部材Ａをいずれの位置で切断しても、常時同一形状の部位が露出する。そして、この螺子受条３は、後述するビス等の固着具７の螺子部７ａがねじ込まれることにより、螺子受条３の内周には内螺子が形成されつつ、固着具７と螺合することができる。
【００１５】
この固着具７の螺子部７ａの螺子外径サイズに基づいて、螺子受条３，３の内径が設定されている。該螺子受条３は、前記螺子受孔部３ａの一部に所定間隔をおいて離間した離間部３ｂが形成され、また螺子受孔部３ａは、前記縦枠本体部１の中空内部に連結部３ｃを介して一体的に形成されている。また離間部３ｂは、螺子受孔部３ａに固着具７の螺子部７ａがねじ込み易いようにする役目をなしている。また、図示されたものでは、前記螺子受条３，３は、外側面１ａ及び内側面１ｂに一体的に形成されているが、必ずしもこの構成に限定されるものではなく両主側面１ｃ，１ｃの裏面側に形成されることもある。この縦枠本体部１の長手方向の端部は、長手方向に対して直角となるように形成されている。
【００１６】
次に、横枠部材Ｂは、図１（Ｃ），図２に示すように、前記縦枠部材Ａとほぼ同一形状をなしており中空状に形成された横枠本体部５は、具体的には断面形状として長方形としたものであるが、正方形であってもかまわない。その横枠本体部５の枠体の外周面を構成する部位を外側面５ａと称する。また面板材８を装着する側を内側面５ｂと称する。さらに、その枠体の表面側及び裏面側を構成する部分を主側面５ｃと称する。
【００１７】
該主側面５ｃは、枠体の表裏を構成する面であるが、一方を表面とすれば、他方は裏面となる。またいずれが表面であるかは、特に限定されるものではない。その横枠本体部５の角部箇所には、面板材８の端辺を挿入するため横支持溝６が形成されている。該横支持溝６は、方形状としたもので長方形或いは正方形状に形成された凹み部位である。この横支持溝６には、面板材８がガスケット，シール材等とともに挿入される。この横枠部材Ｂには、図１（Ｃ），図２に示すように、前記縦枠部材Ａに形成されている螺子受条３，３は、形成されない。
【００１８】
その横枠部材Ｂの長手方向の端部箇所は、前記外側面５ａのみが残されて、該外側面５ａと，主側面５ｃの端縁５ｃ１　とが直角（ほぼ直角も含む）となる隅角を形成している。また換言すれば、前記横枠本体部５の長手方向両端において、内側面５ｂ及び両主側面５ｃ，５ｃの部分が切除されて外側面５ａのみを残したものである。すなわち、図２，図４（Ｂ）等に示すように、前記主側面５ｃ，５ｃの端縁５ｃ１　，５ｃ１　がその外側面５ａの長手方向に対して直角となるように切除され、前記外側面５ａと直角をなすようにしたものである。
【００１９】
或いは、この横枠本体部５の長手方向端部の形状は、外側面５ａのみが長手方向に沿って適宜の長さ突出し、両主側面５ｃ，５ｃの端縁５ｃ１　，５ｃ１　と直角を構成するようにしたものであるともいえる。その外側面５ａの突出長さは前記縦枠部材Ａの幅方向寸法にほぼ等しくすることが好ましいが、必要に応じて縦枠部材Ａの幅方向寸法より少し小さくすることもある。
【００２０】
そして、上述した横枠部材Ｂにおいて長手方向両端の外側面５ａのみの部分は縦枠部材Ａとの接合用端部として使用され、その外側面５ａのみが突出した部位を接合用外側面５ａ１　と称する。そして、この接合用外側面５ａ１　と前記縦枠部材Ａの長手方向端部とを接合させ、後述するように、固着具７にて固着するものである。前記接合用外側面５ａ１　を含み、その外側面５ａの裏面側，すなわち横枠本体部５の内周側の面には偏平状の補強条５ａ２　が形成されている。該補強条５ａ２　は、横枠本体部５の長手方向に沿って形成されている。さらに、前記接合用外側面５ａ１　には、縦枠部材Ａとの接合用の接合用貫通孔５ｄが形成されている。該接合用貫通孔５ｄには、ビス等の固着具７が貫通するもので、横枠部材Ｂと接合する縦枠部材Ａの螺子受条３，３の位置に対応している。
【００２１】
前記面板材８は、ガラス，アクリル等の透明板或いは木板，金属板等の化粧板等であり、図１（Ｂ），（Ｃ）に示すように、ガスケット，シール材等の介在物９を介して前記縦枠部材Ａ及び横枠部材Ｂの縦支持溝２及び横支持溝６に挿入装着される。さらに、縦枠部材Ａと横枠部材Ｂの接合箇所において、キャップ材１０が具備される。該キャップ材１０は、図３（Ａ），（Ｂ）に示すように、前記接合用外側面５ａ１　の外端と縦枠部材Ａの長手方向端部との間に生じる隙間，段差等を安全且つ目立たないようにする役目をなす部材である。そのキャップ材１０は、具体的には、合成樹脂，ゴム等にて形成されているが、縦枠部材Ａ，横枠部材Ｂ等と同質のアルミ材等の金属材にて形成されてもかまわない。
【００２２】
そのキャップ材１０の構成は、図６（Ａ）に示すように、化粧本体部１０ａと差込用突部１０ｂとからなり、その化粧本体部１０ａは、ほぼ直方体をなし、その角部で隣接する２面が外部に露出する部分は、必要に応じて丸み，球面，傾斜面等に形成される。そして、その化粧本体部１０ａの外部に露出しない角箇所から前記差込用突部１０ｂが形成されている。該差込用突部１０ｂは、図６（Ｂ）乃至（Ｄ）に示すように、縦枠部材Ａの中空箇所で、且つ前記横枠部材Ｂの接合用外側面５ａ１　から露出した部分に嵌合状態で挿入される。これによって、縦枠部材Ａと横枠部材Ｂとの接合箇所における、縦枠部材Ａのはみ出し部分が良好な形状にされ、且つ安全性を得ることができる。
【００２３】
なお、上記横枠部材Ｂには、縦枠部材Ａとの接合部位とするために長手方向端部に内側面５ｂのみを残して接合用外側面５ａ１　を形成したが、このような接合用外側面５ａ１　を加工形成することなく、前記横枠部材Ｂの長手方向端部をそのまま使用して、前記縦枠部材Ａと接合することもある。この場合には、横枠部材Ｂの長手方向の端部箇所にビス等の固着具７を貫通させて、縦枠部材Ａの螺子受条３，３に固着具７の螺子部７ａをねじ込み固着させ、縦枠部材Ａと横枠部材Ｂとを接合させる。この場合においても横枠部材Ｂには螺子受条３，３が形成されていないので、横枠部材Ｂの長手方向端部箇所には接合用貫通孔５ｄを容易に穿孔することができる。さらに、枠装置を構成する左右の縦枠部材Ａ，Ａ及び上下の横枠部材Ｂ，Ｂにて構成されるものは、主に揺動する扉に使用されるもので、縦枠部材Ａにはちょう番等が装着される。また、引戸や窓として使用する場合にはハンガーロールや戸車等の器具が必要に応じて上下の横枠部材Ｂ，Ｂに装着される。
【００２４】
【発明の効果】
請求項１の発明は、外側面１ａ，内側面１ｂ及び両主側面１ｃ，１ｃからなり、その内部を中空とした縦枠本体部１と，前記内側面１ｂに形成され面板材８の縦方向端辺が挿入される縦支持溝２とからなる縦枠部材Ａと，外側面５ａ，内側面５ｂ及び両主側面５ｃ，５ｃからなり、その内部を中空とした横枠本体部５と，前記内側面５ｂに形成され前記面板材８の横方向端辺が挿入される横支持溝６とからなる横枠部材Ｂとからなり、前記縦枠部材Ａにのみ固着具７のねじ込みが可能で且つ前記縦枠部材Ａの長手方向に沿って形成された螺子受条３，３，…が一体形成されてなる枠装置としたことにより、扉，窓等の枠において、簡易且つ効率的に組立作業を行うことができ、その仕上がりが極めて綺麗で良好であり、且つ強度的にも極めて優れたものにできる等の効果を奏する。
【００２５】
上記効果を詳述すると、縦枠部材Ａにのみ螺子受条３，３，…が形成され、横枠部材Ｂには螺子受条３，３が形成されていないことにより、横枠部材Ｂに縦枠部材Ａとを接合するための部位を容易に形成しやすいものである。すなわち、横枠部材Ｂには螺子受条３，３が形成されていないので、横枠部材Ｂにビス等の固着具７を貫通させるための接合用貫通孔５ｄを穿孔する際には、ほとんど抵抗がなく容易に、接合用貫通孔５ｄを穿孔できる。
【００２６】
しかも、この作業は製造工場でなくとも簡単にできるので、新築工事現場等の工場以外の作業現場で接合用貫通孔５ｄを穿孔でき、作業効率を向上させることができる。また、縦枠部材Ａには螺子受条３，３が形成され、且つ螺子受条３，３は縦枠部材Ａの長手方向に沿って形成されたものであり、これが補強リブの役目をなすことで、枠装置の上下方向における十分な強度を得ることができ、極めて強固な枠体にできる。特に、横枠部材Ｂに種々の外力による荷重Ｗがかかった場合であっても、螺子受条３，３が縦枠本体部１とともに反力Ｒが生じるものであり、十分な耐久性を有することができる。さらに、横枠部材Ｂ側では、螺子受条３，３を形成しない分だけ軽量化でき、引戸や窓としたときに動作を良好にすることができる利点も備わっている。
【００２７】
次に、請求項２の発明は、請求項１において、前記横枠部材Ｂの長手方向端部は、外側面５ａのみを残して切除され，該外側面５ａと主側面５ｃの端縁５ｃ１　とのなす隅角を直角としてなる枠装置としたことにより、横枠部材Ｂと縦枠部材Ａとの接合が簡単にでき、且つその仕上りを良好なものとすることができる。上記効果を詳述すると、横枠部材Ｂには螺子受条３，３が形成されていないので、外側面５ａのみを残して切除したときに、その螺子受条３，３の切除作業を省くことができるし、また外側面５ａの裏面側は平坦状に仕上げれたものとすることができる。よって、縦枠部材Ａと横枠部材Ｂとの接合箇所では、その外側面５ａに縦枠部材Ａの長手方向の端部を当接させやすくすることができ、且つその当接状態も極めて正確で整然としたものにできる。
【００２８】
請求項３の発明は、請求項１又は２において、前記横枠部材Ｂの外側面５ａの裏面には偏平状の補強条５ａ２　が長手方向に沿って形成されてなる枠装置としたことにより、横枠部材Ｂの長手方向両端より突出した外側面５ａ（接合用外側面５ａ１　）部分は、前記補強条５ａ２　により、強度が向上し、且つ該補強条５ａ２　は偏平状に形成されたものであるために、縦枠部材Ａとの接合性を損なうことなく、良好なる接合状態を得ることができる。
【００２９】
請求項４の発明は、請求項１，２又は３において、前記縦枠部材Ａと横枠部材Ｂとの接合箇所における前記縦枠部材Ａの長手方向端部の露出箇所を被覆するキャップ材１０が具備されてなる枠装置としたことにより、枠装置全体の仕上がりを良好にするとともに、安全性を確保することができる。上記効果を詳述すると、前記接合用外側面５ａ１　の外端と縦枠部材Ａの長手方向端部との間に生じる隙間にキャップ材１０を装着することで、目立たないようにすることができ、外観を整然とさせることができる。また、キャップ材１０の表面形状に丸み或いは球面等に設定したものを使用することで、枠装置の角部分が鋭利でなく丸みを含んだものにすることができ、安全性が保たれる。
【図面の簡単な説明】
【図１】（Ａ）は本発明の正面図
（Ｂ）は（Ａ）のＸ１　−Ｘ１　矢視拡大断面図
（Ｃ）　は（Ａ）のＸ２　−Ｘ２　矢視拡大断面図
【図２】本発明の要部の分解斜視図
【図３】（Ａ）は本発明の要部の縦断正面図
（Ｂ）は本発明の要部の斜視図
【図４】（Ａ）は本発明の分解した正面図
（Ｂ）は本発明の要部の分解した縦断正面図
【図５】（Ａ）は横枠部材の長手方向端部箇所を外側面を残して切除した要部斜視図
（Ｂ）は横枠部材の長手方向端部箇所における切除部位を示す要部正面図
【図６】（Ａ）はキャップ材の斜視図
（Ｂ）はキャップ材装着箇所の拡大断面図
（Ｃ）　は（Ｂ）のＸ３　−Ｘ３　矢視断面図
（Ｄ）　はキャップ材を装着する工程を示す断面図
【図７】（Ａ）は枠装置の横枠部材から縦枠部材に荷重が作用している略示図
（Ｂ）は（Ａ）の一部断面とした要部拡大図
【図８】（Ａ）は従来技術における加工の成形途中の斜視図
（Ｂ）は従来技術における加工仕上がり状態を示す斜視図
【符号の説明】
Ａ…縦枠部材
１…縦枠本体部
１ａ…外側面
１ｂ…内側面
１ｃ…主側面
２…縦支持溝
３…螺子受条
Ｂ…横枠部材
５…横枠本体部
５ａ…外側面
５ｂ…内側面
５ｃ…主側面
５ｃ１　…端縁
５ａ２　…補強条
６…横支持溝
７…固着具
８…面板材
１０…キャップ材
【図１】
2004143863.tif 000003
【図２】
2004143863.tif 000004
【図３】
2004143863.tif 000005
【図４】
2004143863.tif 000006
【図５】
2004143863.tif 000007
【図６】
2004143863.tif 000008
【図７】
2004143863.tif 000009
【図８】
2004143863.tif 000010